(57)【要約】【課題】  電池が消耗しても大きな音圧で音による報知を行える電池式報知装置を提供する。【解決手段】  ブザー１と、電池電圧を用いてブザー１を駆動する駆動回路３とを備え、ブザーは、電流制限抵抗Ｒ１，Ｒ２を介して電池２の正極に接続される一対の電極１１，１２と、電極１１に対する電極１２の相対電位に応じて変形態様が変化する音発生用の振動板部材１３とを備え、駆動回路３は、電池電圧が低下すると倍音圧指令信号を出力するとともに異常発生時に駆動パルス信号を出力するマイクロプロセッサ３３と、駆動パルス信号により電極１１を間欠的に接地させる第１のスイッチ回路３１と、倍音圧指令信号が出力されているとき駆動パルス信号により電極１２を間欠的に接地させる第２のスイッチ回路３２とを備える。【選択図】図１
2017009877.tif 000002
【特許請求の範囲】
【請求項１】
ブザーと、電池電圧を用いて前記ブザーを駆動する駆動回路とを備える電池式報知装置であって、
前記ブザーは、電流制限抵抗を介して電池の正極に接続される第１及び第２の電極と、前記第１の電極に対する前記第２の電極の相対電位に応じて変形態様が変化する音発生用の振動部材とを備え、
前記駆動回路は、電池電圧が所定電圧未満であれば倍音圧指令信号を出力する倍音圧指令信号出力部と、第１の状態と第２の状態とを交互に繰り返す駆動パルス信号を出力する駆動パルス出力部と、前記駆動パルス信号が第１の状態のとき前記第１の電極を接地させる第１のスイッチ回路と、前記駆動パルス信号が第２の状態で且つ前記倍音圧指令信号が出力されているとき前記第２の電極を接地させる第２のスイッチ回路とを備えていることを特徴とする電池式報知装置。
【請求項２】
請求項１に記載の電池式報知装置において、前記駆動回路の動作時、前記第１の電極の電位は０Ｖと前記電池電圧とを交互に繰り返すパルス波形となり、前記第２の電極の電位は、前記倍音圧指令信号が出力されていないときは前記電池電圧で固定され、前記倍音圧指令信号が出力されているときは前記電池電圧と０Ｖとを交互に繰り返すパルス波形となることを特徴とする電池式報知装置。
【請求項３】
ブザーと、電池電圧を用いて前記ブザーを駆動する駆動回路とを備える電池式報知装置であって、
前記ブザーは、第１及び第２の電極を備え、前記第１の電極に対する前記第２の電極の相対電位がパルス状に変化することにより音を発生するとともに該変化の振幅の大きさに応じて音圧が変化するよう構成され、
前記駆動回路は、前記電池電圧が所定電圧以上であるとき前記変化の振幅が比較的小さくなるよう前記相対電位をパルス状に変化させるように前記第１及び／又は第２の電極への前記電池電圧に基づく駆動電圧の印加を制御するとともに、前記電池電圧が前記所定電圧未満であるとき前記変化の振幅が比較的大きくなるよう前記相対電位をパルス状に変化させるように前記第１及び／又は第２の電極への前記電池電圧に基づく駆動電圧の印加を制御するよう構成されていることを特徴とする電池式報知装置。
【請求項４】
請求項３に記載の電池式報知装置において、前記駆動回路の動作時、前記電池電圧が前記所定電圧以上であるときは前記変化の振幅の大きさは前記電池電圧となされ、前記電池電圧が前記所定電圧未満であるときは前記変化の振幅の大きさは前記電池電圧の２倍となされていることを特徴とする電池式報知装置。
【請求項５】
請求項１〜４のいずれかに記載の電池式報知装置を具備する電池駆動式ガス燃焼機器。
【発明の詳細な説明】
【技術分野】
【０００１】
本発明は、電池電圧によってブザーを駆動する電池式報知装置に関する。
【背景技術】
【０００２】
下記の特許文献１の段落番号０００２及び図４には、ブザーを駆動するための電源電圧レベルを変化させることにより音圧レベルを変更する技術が開示されている。
【先行技術文献】
【特許文献】
【０００３】
【特許文献１】特開２００３−５８１６５号公報
【発明の概要】
【発明が解決しようとする課題】
【０００４】
ところで、本願出願人は電池駆動式ガスコンロの開発を従前より行っているところ、電池駆動式ガスコンロは一般的に乾電池２個を直列に接続してなる電源によって動作し、電池電源電圧は最大で３Ｖであるとともに、乾電池の消耗に伴って電池電源電圧は低下していく。
【０００５】
ブザーは何らかの異常を報知するために駆動するものであるため、期待する音圧レベルで動作させるためにはブザーの駆動電圧はある程度以上である必要があるが、電池電源電圧が最大で３Ｖであるために、上記特許文献１のように電源電圧を敢えて低下させると期待する音圧レベルが確保できない。
【０００６】
したがって、電池駆動式ガスコンロなど電池電圧並びに電池容量に制限のある機器においては、電池電源電圧をそのままブザーに印加することによってブザーを作動させることが好ましいが、上記したように、電池電源電圧自体が電池の消耗によって低下するとブザーの音圧レベルも低下してしまい、機器異常時にブザーによる報知を行ってもブザー音が小さく聞き取り辛くなってしまう。
【０００７】
本発明は、このような事情に鑑みてなされたものであり、その目的とするところは、電池の消耗により電池電圧が低下してもブザーの音圧レベルを維持することのできる電池式報知装置を提供することにある。
【課題を解決するための手段】
【０００８】
本発明は、上記目的を達成するために、次の技術的手段を講じた。
【０００９】
即ち、本発明は、ブザーと、電池電圧を用いて前記ブザーを駆動する駆動回路とを備える電池式報知装置であって、前記ブザーは、電流制限抵抗を介して電池の正極に接続される第１及び第２の電極と、前記第１の電極に対する前記第２の電極の相対電位に応じて変形態様が変化する音発生用の振動部材とを備え、前記駆動回路は、電池電圧が所定電圧未満であれば倍音圧指令信号を出力する倍音圧指令信号出力部と、第１の状態と第２の状態とを交互に繰り返す駆動パルス信号を出力する駆動パルス出力部と、前記駆動パルス信号が第１の状態のとき前記第１の電極を接地させる第１のスイッチ回路と、前記駆動パルス信号が第２の状態で且つ前記倍音圧指令信号が出力されているとき前記第２の電極を接地させる第２のスイッチ回路とを備えていることを特徴とするものである（請求項１）。
【００１０】
かかる本発明の電池式報知装置によれば、駆動パルス信号が第１の状態（例えばＨｉｇｈ信号状態）のときは、第１のスイッチ回路によって第１の電極が接地されることにより第１の電極の電位がＬｏｗレベル（例えば０Ｖ）となり、駆動パルス信号が第２の状態（例えばＬｏｗ信号状態）のときは、第１の電極は接地されず、第１の電極は電流制限抵抗を介して電池の正極に接続されているため、第１の電極の電位がＨｉｇｈレベル（例えば電池電圧）となる。
【００１１】
一方、第２の電極について作用を説明すると、駆動パルス信号が第１の状態のときは、第２の電極は接地されず、第２の電極は電流制限抵抗を介して電池の正極に接続されているため、第２の電極の電位がＨｉｇｈレベル（例えば電池電圧）となる。駆動パルス信号が第２の状態のときは、倍音圧指令信号が出力されているかにより動作が異なる。すなわち、倍音圧指令信号が出力されていないときは、駆動パルス信号が出力されても第２のスイッチ回路は動作せず、第２の電極は接地されることはなく、第２の電極の電位はＨｉｇｈレベルで維持される。倍音圧指令信号が出力されているときは、駆動パルス信号が第２の状態であるときに第２のスイッチ回路によって第２の電極が接地され、これにより第２の電極の電池がＬｏｗレベルとなる。
【００１２】
したがって、Ｈｉｇｈレベルが電池電圧、Ｌｏｗレベルが０Ｖであるとすると、電池電圧が所定電圧以上であるときは、倍音圧指令信号が出力されないため、駆動パルス信号によって、第１の電極の電位が電池電圧且つ第２の電極の電位が電池電圧となる状態と、第１の電極の電位が０Ｖ且つ第２の電極の電位が電池電圧となる状態とが交互に繰り返され、第１の電極に対する第２の電極の相対電位は、０Ｖと電池電圧との間で交互に繰り返されることとなる。一方、電池電圧が所定電圧未満であるときは、倍音圧指令信号が出力されるため、駆動パルス信号によって、第１の電極の電位が電池電圧且つ第２の電極の電位が０Ｖとなる状態と、第１の電極の電位が０Ｖ且つ第２の電極の電位が電池電圧となる状態とが交互に繰り返され、第１の電極に対する第２の電極の相対電位は、（−電池電圧）と（＋電池電圧）との間で交互に繰り返されることとなり、倍音圧指令信号が出力されていないときの約２倍の振幅で相対電位をパルス状に変化させることができ、これにより電池電圧が低下しても、大きな音圧レベルでブザーを駆動させることができる。
【００１３】
上記本発明の電池式報知装置において、前記駆動回路の動作時、前記第１の電極の電位は０Ｖと前記電池電圧とを交互に繰り返すパルス波形となり、前記第２の電極の電位は、前記倍音圧指令信号が出力されていないときは前記電池電圧で固定され、前記倍音圧指令信号が出力されているときは前記電池電圧と０Ｖとを交互に繰り返すパルス波形となるように構成できる（請求項２）。これによれば、回路構成を簡素化しつつ、電池電圧が低下したことを倍音圧指令信号出力部により検出された場合に、第１及び第２の電極の相対電位の振幅の大きさを、電池電圧の昇圧回路等を用いることなく、電池電圧の約２倍にすることができる。
【００１４】
また、本発明は、ブザーと、電池電圧を用いて前記ブザーを駆動する駆動回路とを備える電池式報知装置であって、前記ブザーは、第１及び第２の電極を備え、前記第１の電極に対する前記第２の電極の相対電位がパルス状に変化することにより音を発生するとともに該変化の振幅の大きさに応じて音圧が変化するよう構成され、前記駆動回路は、前記電池電圧が所定電圧以上であるとき前記変化の振幅が比較的小さくなるよう前記相対電位をパルス状に変化させるように前記第１及び／又は第２の電極への前記電池電圧に基づく駆動電圧の印加を制御するとともに、前記電池電圧が前記所定電圧未満であるとき前記変化の振幅が比較的大きくなるよう前記相対電位をパルス状に変化させるように前記第１及び／又は第２の電極への前記電池電圧に基づく駆動電圧の印加を制御するよう構成されていることを特徴とするものである（請求項３）。
【００１５】
かかる本発明の電池式報知装置によれば、電池電圧が所定電圧以上であるときは、第１の電極に対する第２の電極の相対電位の変化の振幅が比較的小さくなるため音圧も比較的小さくなるが、電池電圧が所定電圧以上であるため、電池電圧に基づく駆動電圧でブザーを駆動しても期待する音圧レベルが得られる。一方、電池電圧が所定電圧未満であるときは、第１の電極に対する第２の電極の相対電位の変化の振幅が比較的大きくなるため、電池電圧が低下していても、期待する音圧レベルが得られる。なお、「変化の振幅が比較的小さくなるよう制御する」「変化の振幅が比較的大きくなるよう制御する」とは、駆動回路の制御構成として変化の振幅を大きくするよう制御するのか小さくなるよう制御するのかを特定するものであり、制御の結果としての振幅の絶対値を特定範囲に限定するものではない。すなわち、例えば、定格３Ｖの電池の電池電圧が１．４Ｖ以上であるときは変化の振幅を電池電圧とし、１．４Ｖ未満であるときは変化の振幅を電池電圧の２倍にする制御構成を想定すると、電池電圧が１．４Ｖ以上のときの変化の振幅は１．４〜３Ｖとなり、１．６Ｖ未満のときの変化の振幅は（動作最低電池電圧の２倍）〜２．８Ｖとなり、制御の結果としての変化の振幅の絶対値がとり得る範囲としては電池電圧が１．４Ｖ以上のときの方が大きくなるが、本発明における「変化の振幅が比較的小さくなるよう制御する」「変化の振幅が比較的大きくなるよう制御する」とはそのようなことを意味するものではなく、電池電圧に応じて、駆動回路が変化の振幅をより大きくしようと制御するのかより小さく制御しようとするのかという駆動回路の制御構成を定義するものである。
【００１６】
かかる本発明の電池式報知装置において、前記駆動回路の動作時、前記電池電圧が前記所定電圧以上であるときは前記変化の振幅の大きさは前記電池電圧となされ、前記電池電圧が前記所定電圧未満であるときは前記変化の振幅の大きさは前記電池電圧の２倍となされているものとすることができる（請求項４）。これによれば、電池電圧が定格値に対して半減しても、電池の定格電圧出力時と同等の音圧レベルでブザーを駆動することができる。
【００１７】
本発明は、上記電池式報知装置を具備する電池駆動式ガス燃焼機器として好適に実施でき（請求項５）、より好ましくは、電池駆動式ガスコンロなどの台所用電池駆動式ガス燃焼機器として好適に実施できる。これによれば、調理音や換気扇の作動音などが生じている騒音環境下において、電池が消耗した場合でも騒音に掻き消されない大音量でブザーによる報知動作をさせることができる。
【発明の効果】
【００１８】
以上、説明したように、本発明の請求項１に係る電池式報知装置によれば、電池電圧が所定電圧以上であるときは、倍音圧指令信号が出力されないため、駆動パルス信号によって、第１の電極の電位がＨｉｇｈ状態且つ第２の電極の電位がＨｉｇｈ状態となる状態と、第１の電極の電位がＬｏｗ状態且つ第２の電極の電位がＨｉｇｈ状態となる状態とが交互に繰り返され、第１の電極に対する第２の電極の相対電位は、Ｌｏｗ状態とＨｉｇｈ状態との間で交互に繰り返されることとなる。一方、電池電圧が所定電圧未満であるときは、倍音圧指令信号が出力されるため、駆動パルス信号によって、第１の電極の電位がＨｉｇｈ状態且つ第２の電極の電位がＬｏｗ状態となる状態と、第１の電極の電位がＬｏｗ状態且つ第２の電極の電位がＨｉｇｈ状態となる状態とが交互に繰り返され、第１の電極に対する第２の電極の相対電位は、Ｈｉｇｈ状態が電池電圧である場合は（−電池電圧）と（＋電池電圧）との間で交互に繰り返されることとなり、倍音圧指令信号が出力されていないときの約２倍の振幅で相対電位をパルス状に変化させることができ、これにより電池電圧が低下しても、大きな音圧レベルでブザーを駆動させることができる。
【００１９】
さらに、本発明の請求項２に係る電池式報知装置によれば、回路構成を簡素化しつつ、電池電圧が低下したことを倍音圧指令信号出力部により検出された場合に、第１及び第２の電極の相対電位の振幅の大きさを、電池電圧の昇圧回路等を用いることなく、電池電圧の約２倍にすることができる。
【００２０】
また、本発明の請求項３に係る電池式報知装置によれば、電池電圧が所定電圧以上であるときは、第１の電極に対する第２の電極の相対電位の変化の振幅が比較的小さくなるため音圧も比較的小さくなるが、電池電圧が所定電圧以上であるため、電池電圧に基づく駆動電圧でブザーを駆動しても期待する音圧レベルが得られる。一方、電池電圧が所定電圧未満であるときは、第１の電極に対する第２の電極の相対電位の変化の振幅が比較的大きくなるため、電池電圧が低下していても、期待する音圧レベルが得られる。
【００２１】
さらに、本発明の請求項４に係る電池式報知装置によれば、電池電圧が定格値に対して半減しても、電池の定格電圧出力時と同等の音圧レベルでブザーを駆動することができる。
【００２２】
また、本発明の請求項５に係る電池駆動式ガス燃焼機器によれば、調理音や換気扇の作動音などが生じている騒音環境下において、電池が消耗した場合でも騒音に掻き消されない大音量でブザーによる報知動作をさせることができる。
【図面の簡単な説明】
【００２３】
【図１】本発明の一実施形態に係る電池式報知装置の概略回路図である。
【発明を実施するための形態】
【００２４】
以下、本発明の好適な実施形態を図面に基づいて説明する。
【００２５】
図１は、本発明の一実施形態に係る電池駆動式ガスコンロ（電池駆動式ガス燃焼機器）に内蔵された電池式報知装置の回路図を示している。本実施形態の電池式報知装置は、圧電ブザー１と、乾電池２の電圧（以下「電池電圧」という。）を用いて圧電ブザー１を駆動する駆動回路３とを備えている。
【００２６】
圧電ブザー１は、電流制限抵抗Ｒ１，Ｒ２を介して電池２の正極にそれぞれ接続される第１及び第２の電極１１，１２と、第１の電極１１に対する第２の電極１２の相対電位に応じて変形態様が変化する音発生用の振動板１３（振動部材）とを備えており、上記相対電位が正の値であるとき（第１の電極１１の電位より第２の電極１２の電位の方が大きいとき）の振動板１３の変形方向と、上記相対電位が負の値であるとき（第１の電極１１の電位より第２の電極１２の電位の方が小さいとき）の振動板１３の変形方向とは逆方向となる。また、上記相対電位の絶対値の大きさに応じて振動板１３の変形量が変化する。
【００２７】
したがって、例えば第２の電極１２の電位を電池電圧で固定して第１の電極１１の電位を電池電圧と０Ｖとに交互に切り替えると、振動板１３が、中立状態（未変形状態）と、一方向に電池電圧に応じた変形量だけ変形した状態との間で振動する第１の振動モードとなり、振動板１３の振動によってビープ音を発生する。このビープ音の音色は、上記振動板の振動周波数で定まり、ビープ音の音圧（音の大きさ）は、振動の変形量、すなわち上記相対電位の変化の振幅の大きさによって定まり、上記第１の振動モードにおいては電池電圧に応じた音圧となる。
【００２８】
また、第１の電極１１の電位を電池電圧と０Ｖとに交互に切り替えるとともに、第２の電極１２の電位を、第１の電極１１の電位が電池電圧のときは０Ｖ、第１の電極１１の電池が０Ｖのときは電池電圧となるように交互に切り替えると、振動板１３は、一方の方向に電池電圧に応じた変形量だけ変形した状態と、逆方向に電池電圧に応じた変形量だけ変形した状態との間で振動する第２の振動モードとなり、振動板１３の振動の振幅が約２倍となるので、ビープ音の音圧もそれに応じて大きくなって、この場合は電池電圧の２倍の相対電位に応じた音圧となる。
【００２９】
上記駆動回路３は、電池電圧に応じて上記第１の振動モードと第２の振動モードとを切り替えるように構成されている。以下、本実施形態の駆動回路３について詳細に説明すると、駆動回路３は、圧電ブザー１の第１の電極１１をグラウンドＧＮＤに接地させるか否かを切り替える第１のスイッチ回路３１と、圧電ブザー１の第２の電極１２をグラウンドＧＮＤに接地させるか否かを切り替える第２のスイッチ回路３２と、これら第１及び第２のスイッチ回路３１，３２の切り替え動作を制御する制御部として機能するマイクロプロセッサ３３とから構成されている。このマイクロプロセッサ３３は、ガスコンロの各種動作（点火制御、ガス流量制御、調理モード制御、操作部や表示部の入出力制御など）を制御する制御部としても機能するものであり、マイクロプロセッサ３３の電源ポートＶｃｃは電池２の正極に接続され、電池電圧によってマイクロプロセッサ３３は動作する。
【００３０】
また、電池２の正極には適宜の回路構成からなる電池電圧検出回路３４が接続されており、該電圧検出回路３４が出力する電池電圧検出信号がマイクロプロセッサ３３の電池電圧検出信号入力ポートに入力され、マイクロプロセッサ３３は、入力した電池電圧検出信号に基づいて電池電圧を検出する。而して、マイクロプロセッサ３３及び電圧検出回路３４によって、電池電圧検出部が構成されている。なお、電池電圧検出回路３４は、例えば、レギュレータ等で所定電圧を生成してその電圧とグラウンドＧＮＤ間の分圧で確認するなど、従来公知の適宜の構成とすることができる。
【００３１】
また、マイクロプロセッサ３３は、各種センサ（図示せず）の検出値に基づいて点火不良やガス流量制御弁の動作異常等の異常を検出すると、ブザー駆動パルス信号出力ポートから駆動パルス信号を出力する。この駆動パルス信号は、例えば３Ｖの電位であるＨｉｇｈ信号状態（第１の状態）と０Ｖの電位であるＬｏｗ信号状態（第２の状態）とを所定周期で交互に繰り返すパルス波形とすることができ、Ｈｉｇｈ信号状態は、第１及び第２のスイッチ回路３１，３２を構成するスイッチング素子を駆動できる電位であればよい。而して、マイクロプロセッサ３３によって、機器の異常を検知して駆動パルス信号を出力する駆動パルス出力部が構成されている。
【００３２】
また、マイクロプロセッサ３３は、検出した電池電圧が所定電圧、例えば１．６Ｖ未満であれば倍音圧指令信号出力ポートから倍音圧指令信号として例えばＨｉｇｈ信号を出力し、検出した電池電圧が所定電圧以上であれば倍音圧指令信号出力ポートからＬｏｗ信号を出力するよう構成され、かかるマイクロプロセッサ３３によって倍音圧指令信号出力部が構成されている。
【００３３】
すなわち、本実施形態のマイクロプロセッサ３３は、上記電池電圧検出部、駆動パルス出力部並びに倍音圧指令信号出力部を具備するものとして構成されている。なお、電池電圧検出部、駆動パルス出力部及び倍音圧指令信号出力部は、マイクロプロセッサ３３とは別に設けられたアナログ回路や専用ＩＣ等によってそれぞれ構成することもできる。
【００３４】
第１のスイッチ回路３１は、駆動パルス信号がＨｉｇｈ信号状態であるとき第１の電極１１をグラウンドＧＮＤに接地させ、駆動パルス信号がＬｏｗ信号状態であるとき第１の電極１１をグラウンドＧＮＤから遮断するスイッチング素子Ｑ１によって主構成されている。
【００３５】
第２のスイッチ回路３２は、駆動パルス信号のＨｉｇｈ信号状態とＬｏｗ信号状態とを反転させた反転駆動パルス信号を生成出力するパルス反転回路３５と、反転駆動パルス信号がＨｉｇｈ信号状態であるとき第２の電極１２をグラウンドＧＮＤに接地させ、反転駆動パルス信号がＬｏｗ信号状態であるとき第２の電極１２をグラウンドＧＮＤから遮断するスイッチング素子Ｑ２とによって主構成されている。
【００３６】
パルス反転回路３５は適宜の構成であって良いが、図示実施例においては、駆動パルス信号を反転させる反転回路としてのスイッチング素子Ｑ３（ＮＰＮ型トランジスタ）により主構成されており、該スイッチング素子Ｑ３のコレクタには、上記倍音圧指令信号が電流制限抵抗Ｒ３を介してスイッチング素子Ｑ３の駆動電源として入力されている。したがって、倍音圧指令信号が出力されていないとき、すなわち倍音圧指令信号ポートがＬｏｗ出力状態であるときは第２のスイッチ回路３２に電源が供給されていない状態となって、第２のスイッチ回路３２が無効となって、駆動パルス信号が供給されても第２の電極１２を常時グラウンドＧＮＤから遮断する。スイッチング素子Ｑ３の出力部（図示例ではコレクタ出力）には、スイッチングノイズ除去フィルタを構成するＲＣ回路が設けられ、該ＲＣ回路の出力電圧のレベルは、整流器Ｄにより構成される負クランプ回路によって正圧領域にシフトされる。
【００３７】
上記のように構成された駆動回路３によれば、電池電圧が所定電圧以上であるときは、第２のスイッチ回路の駆動電源となる倍音圧指令信号（Ｈｉｇｈ信号）が出力されないため、第２のスイッチ回路３２は無効化され、第２の電極１２の電位は電池電圧で固定される。一方、第１のスイッチ回路３１のスイッチング素子Ｑ１は駆動パルス信号によってオン／オフ駆動され、これにより第１の電極１１の電位は０Ｖと電池電圧とを交互に繰り返すパルス波形となる。したがって、電池電圧が所定電圧以上であるとき、第１の電極１１に対する第２の電極１２の相対電位は、振幅の大きさがほぼ電池電圧となるパルス状に変化し、これにより振動板１３が振動して電池電圧に応じた音圧の音が発生する。
【００３８】
一方、電池電圧が所定電圧未満になると、倍音圧指令信号が出力され、これにより第２のスイッチ回路３２に電源供給された状態となるため、第１のスイッチ回路３１のみならず第２のスイッチ回路３２も駆動パルス信号によってオン／オフ駆動されて、第１及び第２の電極１１，１２の電位がそれぞれ０Ｖと電池電圧とを交互に繰り返すパルス波形となる。より詳細には、第１の電極１１の電位が０Ｖであるときは第２の電極１２の電位は電池電圧となり、また、第１の電極１１の電位が電池電圧であるときは第２の電極１２の電位は０Ｖとなる。したがって、第１の電極１１に対する第２の電極１２の相対電位としては、（−電池電圧）と（＋電池電圧）を交互に繰り返すパルス状となり、その振幅は電池電圧の約２倍となる。したがって、電池電圧が所定電圧以上である場合に比して、電池電圧が所定電圧未満であるときの上記相対電位のパルス波形の振幅が約２倍となり、これに応じて振動板１３の振動の振幅も大きくなって、音圧が大きくなる。
【００３９】
このように、本実施形態によれば、電池の消耗によって電池電圧が低下したか否かによって、ブザー１の各電極１１，１２の駆動電圧としての電池電圧の印加態様を変化させることによって、電池電圧が低下した場合でも電池電圧に基づいて大きな音圧で音を発生させることができ、回路構成の簡素化、コスト低減を図りながらも、聞き取りやすい音で報知を行うことができる。
【００４０】
本発明は、上記実施形態に限定されるものではなく、適宜設計変更できる。例えば、上記実施形態ではブザー１の各電極１１，１２に電池電圧をそのまま印加したが、ブザー１の駆動電圧が電池の定格電圧よりも十分小さい場合等には、電池電圧を分圧した駆動電圧として各電極１１，１２に印加させることも可能である。
【００４１】
また、２つの電極１１，１２のうち一方の電位を電池電圧の低下に拘わらず固定し（例えば０Ｖに固定）、他方の電極に印加する駆動電圧の電位を、電池電圧が所定電圧以上であるときは比較的低い電位としておき、所定電圧未満となったときに比較的大きい電位とするよう回路構成することもできる。
【符号の説明】
【００４２】
１  ブザー
１１  第１の電極
１２  第２の電極
１３  振動部材（振動板）
２  電池
３  駆動回路
３１  第１のスイッチ回路
３２  第２のスイッチ回路
３３  マイクロプロセッサ（制御部）
【図１】
2017009877.tif 000003